(57)【特許請求の範囲】
【請求項１】
機器と当該機器が設置された部屋とを対応付けて記憶する記憶機器と、
前記部屋毎又は任意の前記部屋に設置され、蓄電機器が蓄えた蓄電力と、当該部屋内に設置された機器が消費した消費電力と、を計測する計測機器と、
前記計測された蓄電力及び消費電力に基づいて、各電力を比較し、又、各電力を集計した全体の電力を導出して、当該全体の電力と各電力とを比較することにより、電力を管理する管理機器と、
前記記憶機器に記憶された部屋と機器との対応に基づいて、前記機器が消費した消費電力、及び／又は、前記管理機器が比較した全体の電力と各電力との比較結果、を表示する表示端末機器と、を備え、
前記管理機器と前記表示端末機器とは無線による情報の送受信を行い、当該管理機器では、当該無線の電波強度、及び／又は、伝搬時間に基づいて、当該表示端末機器の位置を特定し、当該表示端末機器では、当該特定された位置に基づく情報を表示する、
ことを特徴とする電力表示システム。
【請求項２】
前記記憶機器は、前記消費電力、及び、前記比較結果おける基準をさらに記憶し、
前記管理機器は、前記消費電力、又は、前記比較結果が前記基準を満たしているか否かを判別し、当該基準を満たさない場合、前記表示端末機器にその旨を通知する、
ことを特徴とする請求項１に記載の電力表示システム。
【請求項３】
前記管理機器は、前記全体の電力と前記部屋毎の消費電力とを比較し、また、前記蓄電力と前記部屋毎の消費電力とを比較することにより、前記比較結果を生成する、
ことを特徴とする請求項１又は２に記載の電力表示システム。
【請求項４】
前記管理機器は、気象情報を取得し、当該気象情報に基づいて、前記蓄電力及び前記消費電力が、増加又は減少するかを予測する、
ことを特徴とする請求項１乃至３のいずれか１項に記載の電力表示システム。
【請求項５】
前記計測機器は、電力線の電流及び電圧波形を計測し、
前記管理機器は、前記測定された電流及び電圧波形から、高調波成分を取り出し、当該高調波成分から特徴量を抽出することにより、動作している前記機器を同定する、
ことを特徴とする請求項１乃至４のいずれか１項に記載の電力表示システム。
【請求項６】
機器と当該機器が設置された部屋とを対応付けて記憶し、
前記部屋毎又は任意の前記部屋に設置され、蓄電機器が蓄えた蓄電力と、当該部屋内に設置された機器が消費した消費電力と、を計測し、
前記計測された蓄電力及び消費電力に基づいて、各電力を比較し、又、各電力を集計した全体の電力を導出して、当該全体の電力と各電力とを比較することにより、電力を管理し、
前記記憶された部屋と機器との対応に基づいて、前記機器が消費した消費電力、及び／又は、前記比較した全体の電力と各電力との比較結果、を表示し、
無線による情報の送受信を行い、当該無線の電波強度、及び／又は、伝搬時間に基づいて、当該情報の送信先を特定し、当該情報の送信先では、当該特定した送信先に基づく情報を表示する、
ことを特徴とする電力表示方法。
【発明の詳細な説明】
【技術分野】
【０００１】
本発明は、電力表示システム、及び、電力表示方法に関する。
【背景技術】
【０００２】
家庭内に設置された空調機器、照明機器などの機器が消費する電力を監視するシステムが知られている。例えば、特許文献１には、電力を検出する主幹電力メータを設置し、当該主幹電力メータに併設された表示部に、すべての機器が消費した全体の電力や消費した電力に相当する料金を表示する技術が開示されている。
【先行技術文献】
【特許文献】
【０００３】
【特許文献１】特開平９−５３９５４号公報
【発明の概要】
【発明が解決しようとする課題】
【０００４】
しかしながら、特許文献１に開示される構成では、機器が消費した電力が表示されるだけで、発電機器が発電した電力や蓄電機器が蓄電した電力までは表示されない。また、電力が表示される表示部は主幹電力メータに併設されているため、ユーザは、家庭内の任意の場所において電力を見ることができない。このため、家庭内の任意の場所において、機器が消費した電力、発電機器が発電した電力、又は、蓄電機器が蓄電した電力からなる家庭全体の電力を表示する新たな方法が求められている。
【０００５】
本発明は、上記事情に鑑みてなされたものであり、任意の場所において、家庭全体の電力を表示できる電力表示システム、及び、電力表示方法を提供することを目的とする。
【課題を解決するための手段】
【０００７】
上記目的を達成するため、本発明の第１の観点に係る電力表示システムは、
機器と当該機器が設置された部屋とを対応付けて記憶する記憶機器と、
前記部屋毎又は任意の前記部屋に設置され、蓄電機器が蓄えた蓄電力と、当該部屋内に設置された機器が消費した消費電力と、を計測する計測機器と、
前記計測された蓄電力及び消費電力に基づいて、各電力を比較し、又、各電力を集計した全体の電力を導出して、当該全体の電力と各電力とを比較することにより、電力を管理する管理機器と、
前記記憶機器に記憶された部屋と機器との対応に基づいて、前記機器が消費した消費電力、及び／又は、前記管理機器が比較した全体の電力と各電力との比較結果、を表示する表示端末機器と、を備え、
前記管理機器と前記表示端末機器とは無線による情報の送受信を行い、当該管理機器では、当該無線の電波強度、及び／又は、伝搬時間に基づいて、当該表示端末機器の位置を特定し、当該表示端末機器では、当該特定された位置に基づく情報を表示する、
ことを特徴とする。
【０００９】
本発明の第２の観点に係る電力表示方法は、
機器と当該機器が設置された部屋とを対応付けて記憶し、
前記部屋毎又は任意の前記部屋に設置され、蓄電機器が蓄えた蓄電力と、当該部屋内に設置された機器が消費した消費電力と、を計測し、
前記計測された蓄電力及び消費電力に基づいて、各電力を比較し、又、各電力を集計した全体の電力を導出して、当該全体の電力と各電力とを比較することにより、電力を管理し、
前記記憶された部屋と機器との対応に基づいて、前記機器が消費した消費電力、及び／又は、前記比較した全体の電力と各電力との比較結果、を表示し、
無線による情報の送受信を行い、当該無線の電波強度、及び／又は、伝搬時間に基づいて、当該情報の送信先を特定し、当該情報の送信先では、当該特定した送信先に基づく情報を表示する、
ことを特徴とする。
【発明の効果】
【００１０】
本発明によれば、任意の場所において、家庭全体の電力を表示することができる。
【図面の簡単な説明】
【００１１】
【図１】実施形態１に係る電力表示システムを示す図である。
【図２】電力表示システムが備える管理機器の構成を示す図である。
【図３】記憶部に記憶される情報の例を示す図である。
【図４】電力表示システムが備える表示端末機器の構成を示す図である。
【図５】登録処理を説明するためのフローチャートである。
【図６】機器と当該機器が設置された部屋とを対応付けた例を示す図である。
【図７】基準値の例を示す図である。
【図８】通知処理を説明するためのフローチャートである。
【図９】部屋毎に設置された機器と計測機器とを示す図である。
【図１０】建物全体の消費電力と部屋毎の消費電力との比較結果の例を示す図である。
【図１１】建物全体の消費電力、蓄電力、及び、発電力の比較結果の例を示す図である。
【図１２】今後予測される電力変化の例を示す図である。
【図１３】実施形態２に係る電力表示システムを示す図である。
【図１４】位置検出処理を説明するためのフローチャートである。
【発明を実施するための形態】
【００１２】
以下に本発明の実施形態を説明する。以下に記載する実施形態は説明のためのものであり、本願発明の範囲を制限するものではない。したがって、当業者であればこれらの各要素または全要素をこれと均等なものに置換した実施形態を採用することが可能であるが、これらの実施形態も本発明の範囲に含まれる。
【００１３】
（実施形態１）
本発明の実施形態１に係る電力表示システムは、建物（家庭）内に設置された機器が消費した電力を集計することにより、一括的に電力を管理するいわゆるＨＥＭＳ（Home Energy Management System）である。本発明の実施形態１に係る電力表示システム１は、図１に示すように、複数の機器１００、蓄電機器２００、発電機器３００、複数の計測機器４００、管理機器５００、複数の表示端末機器６００から構成される。
【００１４】
各機器１００は、電力を消費する任意の機器であり、例えば、テレビ、冷蔵庫、洗濯機、空調機器、照明機器、換気機器などの家電機器から構成される。機器１００は、建物内の所定の部屋２に設置され、電力線３から電力の供給を受けて、動作することにより電力を消費する。電力表示システム１では、複数の機器１００と管理機器５００とが、電力線３を介して繋がれている。
【００１５】
蓄電機器２００は、電気を蓄電する任意の機器であり、例えば、蓄電池などから構成される。蓄電機器２００は、建物内、又は、建物周辺に設置され、電力線３を介して機器１００に電力を供給する。蓄電機器２００は、複数の機器１００と同様に、電力線３を介して管理機器５００に繋がれている。
【００１６】
発電機器３００は、自然エネルギーを利用して発電を行う任意の機器であり、例えば、太陽光のエネルギーを電力に変換する太陽光発電装置、風のエネルギーを電力に変換する風力発電装置、地熱のエネルギーを電力に変換する地熱発電装置などから構成される。発電機器３００は、建物内、又は、建物周辺に設置され、電力線３を介して機器１００又は蓄電機器２００に電力を供給する。発電機器３００は、複数の機器１００と同様に、電力線３を介して管理機器５００に繋がれている。
【００１７】
計測機器４００は、電力線３を流れる電流、電力、又は、電力量を計測する機器であり、例えば、電力計、ディジタルマルチメータから構成される。計測機器４００は、典型的には、部屋２毎に設置され、当該部屋２に設置された機器１００が消費した消費電力（消費電力量）を計測する。また、計測機器４００は、蓄電機器２００が蓄電している蓄電力（蓄電量）を計測し、また、発電機器３００が発電した発電力（発電量）を計測する。
【００１８】
管理機器５００は、計測機器４００により計測された電力を取得することにより、建物内の電力を管理する機器であり、例えば、スマートメータ、情報端末装置、パーソナルコンピュータなどから構成される。また、管理機器５００は、ホームゲートウェイ（図示せず）を介してインターネットに接続され、当該インターネットから所定の情報を取得する。
【００１９】
管理機器５００は、図２に示すように、制御部５１０、記憶部５２０、入力部５３０、表示部５４０、通信部５５０から構成される。
【００２０】
制御部５１０は、例えば、ＣＰＵ（Central Processing Unit）などの演算処理回路やワークエリアとなるＲＡＭ（Random Access Memory）、各種ドライバなどから構成され、管理機器５００の各部を制御するとともに、記憶部５２０に格納されている所定の動作プログラムに基づいて後述する各処理を実行する。管理機器５００の各構成は、それぞれ制御部５１０と接続されており、各構成間でのデータ授受などは制御部５１０を介しておこなわれる。また、制御部５１０は、例えば、ＲＴＣ（Real Time Clock）、タイマー等を備え、日時（年月日時分秒及び曜日を含む）を計時（カウント）することにより、時計として機能する。
【００２１】
制御部５１０は、同図に示すように、電力取得部５１１、比較部５１２、通知部５１３、予測部５１４から構成される。
【００２２】
電力取得部５１１は、計測機器４００が計測した電力、電力量を取得する。図１に示すように、計測機器４００は、部屋２毎、又は、蓄電・発電機器２００、３００毎に設置されるため、電力取得部５１１は、部屋２毎、又は、機器毎の電力、電力量を取得する。
【００２３】
比較部５１２は、電力取得部５１１により取得された部屋２毎の電力、電力量を比較して、当該比較した比較結果を生成（導出）する。例えば、比較部５１２は、計測機器４００が計測した電力に基づいて、建物全体において消費された消費電力と、所定の部屋２において消費された消費電力とを比較する。また、比較部５１２は、機器１００が消費した消費電力（消費電力量）、蓄電機器２００が蓄電した蓄電力（蓄電量）、発電機器３００が発電した発電力（発電量）のそれぞれを比較する。
【００２４】
通知部５１３は、比較部５１２により生成された比較結果を、通信部５５０を介して、表示端末機器６００に通知する。また、通知部５１３は、電力取得部５１１により取得された電力（電力量）が、所定の電力（電力量）に達した場合、また、比較結果が、所定の条件を満たす場合、その旨を表示端末機器６００に通知する。
【００２５】
予測部５１４は、通信部５５０を介してインターネットから取得された気象情報５２６に基づいて、機器１００が消費する消費電力、発電機器３００が発電する発電力等を予測する。例えば、予測部５１４は、取得された気象情報５２６に含まれる予想最高気温が、所定の気温（例えば、３０℃）以上の場合、機器１００（例えば、空調機器）が消費する消費電力が大きくなると予測する。また、予測部５１４は、取得された天気予報が晴れの場合、発電機器３００（例えば、太陽光発電装置）が発電する発電力が大きくなると予測する。
【００２６】
記憶部５２０は、例えば、ＲＯＭ（Read Only Memory）やフラッシュメモリなどといった所定の記憶装置から構成され、制御部５１０が実行する動作プログラム（アプリケーション）の他、各処理の実行に必要なデータや各処理の実行によって取得又は生成されたデータなどを格納する。管理機器５００による処理は、記憶部５２０に記憶された動作プログラムを制御部５１０が実行することで実現される。図３に示すように、記憶部５２０は、機器情報５２１、部屋情報５２２、表示端末情報５２３、電力情報５２４、基準情報５２５、気象情報５２６を記憶する。
【００２７】
機器情報５２１は、例えば、電力表示システム１が備える、機器１００、蓄電機器２００、又は、発電機器３００を表す機種名、型番、機器を特定するためのＩＤ（IDentification）、設置された部屋（位置）等を示す情報である。管理機器５００は、記憶部５２０に記憶される機器情報５２１を参照することにより、どの部屋２にどの機器１００が設置されているかを把握する。
【００２８】
部屋情報５２２は、例えば、建物の部屋数、部屋の広さ、部屋を特定するためのＩＤ等を示す情報である。
【００２９】
表示端末情報５２３は、例えば、表示端末機器６００の機種名、型番、当該端末を特定するためのＩＤ、当該端末が位置する部屋（位置）等を示す情報である。
【００３０】
電力情報５２４は、例えば、機器毎の電力量（消費電力量、蓄電量、発電量）、部屋毎の電力量、建物全体の電力量、１日当たりの電力量等を示す情報である。
【００３１】
基準情報５２５は、例えば、機器１００〜３００毎の電力量、部屋２毎の電力量、及び、計測結果が、所定の基準を超えているか否かを判別するための基準を示す情報である。また、基準情報５２５は、気象情報５２６が所定の基準を超えているか否かを判別するための基準を示す情報である。
【００３２】
気象情報５２６は、例えば、インターネットを介して取得された、天気予報、予想最高気温、予想最低気温等を示す気象に関する情報である。
【００３３】
図２に戻って、入力部５３０は、ユーザからの指示を受け付けるための各種のキー、ボタン若しくはタッチパネル等を備え、制御部５１０への各種の指示やデータを入力する。
【００３４】
表示部５４０は、例えば、ドットマトリクスタイプのＬＣＤ若しくは有機ＥＬパネルとドライバ回路等を備え、任意の画像を表示する。
【００３５】
通信部５５０は、通信を行うためのインターフェース等を備え、所定のプロトコルに沿って、通信線又は無線を介して、管理機器５００と表示端末機器６００との間で行われる通信の仲立ちをする。また、通信部５５０は、ホームゲートウェイを介して、管理機器５００とインターネットとの間で行われる通信の仲立ちをする。
【００３６】
図１に戻って、表示端末機器６００は、管理機器５００が備える記憶部５２０が記憶する電力量、比較結果等を表示する機器であり、例えば、表示装置、携帯端末装置などから構成される。表示端末機器６００は、各部屋２に設置され、通信線に接続され、管理機器５００から通信線を介して送信された情報を表示する。図４に示すように、表示端末機器６００は、端末制御部６１０、端末記憶部６２０、端末入力部６３０、端末表示部６４０、端末通信部６５０から構成される。
【００３７】
端末制御部６１０は、例えば、ＣＰＵ（Central Processing Unit）などの演算処理回路やワークエリアとなるＲＡＭ（Random Access Memory）、各種ドライバなどから構成され、表示端末機器６００の各部を制御するとともに、端末記憶部６２０に格納されている所定の動作プログラムに基づいて後述する各処理を実行する。表示端末機器６００の各構成は、それぞれ端末制御部６１０と接続されており、各構成間でのデータ授受などは端末制御部６１０を介しておこなわれる。また、端末制御部６１０は、例えば、ＲＴＣ（Real Time Clock）、タイマー等を備え、日時（年月日時分秒及び曜日を含む）を計時（カウント）することにより、時計として機能する。
【００３８】
端末記憶部６２０は、例えば、ＲＯＭ（Read Only Memory）やフラッシュメモリなどといった所定の記憶装置から構成され、端末制御部６１０が実行する動作プログラム（アプリケーション）の他、各処理の実行に必要なデータや各処理の実行によって取得又は生成されたデータなどを格納する。表示端末機器６００による処理は、端末記憶部６２０に記憶された動作プログラムを端末制御部６１０が実行することで実現される。
【００３９】
端末入力部６３０は、ユーザからの指示を受け付けるための各種のキー、ボタン若しくはタッチパネル等を備え、端末制御部６１０への各種の指示やデータを入力する。
【００４０】
端末表示部６４０は、例えば、ドットマトリクスタイプのＬＣＤ若しくは有機ＥＬパネルとドライバ回路等を備え、任意の画像を表示する。
【００４１】
端末通信部６５０は、通信を行うためのインターフェース等を備え、所定のプロトコルに沿って、通信線又は無線を介して、管理機器５００と表示端末機器６００との間で行われる通信の仲立ちをする。
【００４２】
次に、図１及び図２に示す管理機器５００の動作について説明する。管理機器５００が実行する処理は、機器１００〜３００と当該機器１００〜３００が設置された部屋（位置）との対応付けを登録する登録処理、及び、機器が消費、蓄電、又は、発電した電力量に基づく情報の通知を行う通知処理の２つに大別される。まず、登録処理について説明する。
【００４３】
管理機器５００は、ユーザに対して登録操作を行うように促して、当該ユーザからの何らかの入力操作を受け付けると、図５に示す当該登録処理を開始する。
まず、入力部５３０は、ユーザが入力した、建物の部屋数、部屋が特定されるＩＤを示す情報を受け付けて、制御部５１０は、入力部５３０が受け付けた情報を、部屋情報５２２として記憶部３５０に登録する（ステップＳ１０１）。例えば、ユーザは、建物の平面図を登録し、当該平面図に基づいて、部屋数、部屋のＩＤを入力する。入力部５３０は、ユーザからの入力を受け付けて、建物の各部屋を特定するためのＩＤを登録する。
【００４４】
次に、入力部５３０は、ユーザが入力した、機器１００、蓄電機器２００、及び、発電機器３００を特定するための情報（例えば、機種名、ＩＤ、設置された部屋（位置）等）を受け付けて、制御部５１０は、入力部５３０が受け付けた情報を、機器情報５２１として記憶部５２０に登録する（ステップＳ１０２）。機器１００、蓄電機器２００、及び、発電機器３００の情報が登録されることにより、電力表示システム１上で機器１００、蓄電機器２００、及び、発電機器３００が認識される。
【００４５】
次に、制御部５１０は、ステップＳ１０１において登録された部屋情報５２２と、ステップＳ１０２において登録された機器情報５２１と、を対応付けることにより、機器１００、蓄電機器２００、及び、発電機器３００が設置された位置（部屋）を登録する（ステップＳ１０３）。
【００４６】
図６を例に取り、機器と当該機器が設置された部屋とを対応付ける方法について説明する。まず、建物内の複数の部屋２をそれぞれ特定するために、各部屋２を部屋Ａ〜Ｃとして登録する（ステップＳ１０１）。次に、建物内に設置された複数の機器１００をそれぞれ登録するために、各機器１００を機器１００ａ〜１００ｇとして登録する（ステップＳ１０２）。そして、機器１００ａ〜１００ｇと、当該機器１００ａ〜１００ｇが設置された部屋Ａ〜Ｃと、を対応付けて登録する（ステップＳ１０３）。ここでは、機器１００ａ及び機器１００ｂが部屋Ａに設置されていること、機器１００ｃが部屋Ｂに設置されていること、機器１００ｄ〜１００ｇが部屋Ｃに設置されていること、を登録する。これにより、機器１００を特定するための情報と、当該機器が設置された部屋（位置）情報と、が対応付けられるため、各部屋２には、いずれの機器１００が設置されているかを登録することができる。
【００４７】
次に、入力部５３０は、部屋２毎、機器１００毎、又は、計測結果毎の基準となる電力や当該電力の割合を受け付けて、制御部５１０は、入力部５３０が受け付けた情報を、基準情報５２５として記憶部５２０に登録する（ステップＳ１０４）。図７を例に取り、基準情報５２５を登録する方法について説明する。部屋Ａにおける消費電力について基準を登録する場合、まず、部屋名として「部屋Ａ」を登録し、そして、「部屋Ａ」の消費電力を示す項目に、「５００Ｗ以上」と登録する。また、部屋Ａの消費電力と建物全体の消費電力とを比較した比較結果における基準を登録する場合、部屋Ａの比較結果を示す項目に、「割合２０％以上」と登録する。また、機器１００ａにおける消費電力について基準を登録する場合、まず、機器名として「機器１００ａ」を登録し、そして、「機器１００ａ」の消費電力を示す項目に、「５００Ｗ以上」と登録する。このような方法により、基準情報５２５を登録することができる。そして、これらの基準を登録することにより、後述する通知処理において、各項目が基準を超えた（満たした）場合に、基準を超えた旨がユーザに通知される。
なお、部屋Ｂにおける消費電力や比較結果の基準、機器１００ｂにおける消費電力の基準を登録する場合については、部屋Ａや機器１００ａの場合と同様である。
【００４８】
以上の処理により、機器１００を特定するための情報と、当該機器１００が設置された部屋２の情報と、を対応付けることにより、機器が設置された位置（部屋）を登録することができる。
【００４９】
次に、管理機器５００が取得又は生成した情報を、表示端末機器６００に通知する通知処理について説明する。
【００５０】
図５の処理が終了すると、管理機器５００は自動的に図８のフローを開始する。
まず、制御部５１０は、電力取得部５６０を制御することにより、計測機器４００が計測した、機器１００が消費した消費電力（消費電力量）を取得する（ステップＳ２０１）。図９において、制御部５１０は、部屋Ａに設置された計測機器４００ａが計測した、機器１００ａ及び機器１００ｂが消費した消費電力、部屋Ｂに設置された計測機器４００ｂが計測した、機器１００ｃが消費した消費電力、及び、部屋Ｃに設置された計測機器４００ｃが計測した、機器１００ｄ〜機器１００ｇが消費した消費電力を取得する。そして、制御部５１０は、建物内の部屋に設置された計測機器４００が計測したすべての消費電力量を取得して、集計することにより、建物全体の消費電力を特定する。
【００５１】
次に、制御部５１０は、電力取得部５６０を制御することにより、計測機器４００が計測した、蓄電機器２００が蓄電した蓄電力（蓄電量）、及び、発電機器３００が発電した発電力（発電量）を取得する（ステップＳ２０２）。
【００５２】
次に、制御部５１０は、比較部５７０を制御することにより、ステップＳ２０１及びＳ２０２において取得された、消費電力、蓄電力、及び、発電力（消費電力量、蓄電量、及び、発電量）を比較する（ステップＳ２０３）。例えば、制御部５１０は、建物内の部屋に設置された計測機器４００が計測したすべての消費電力を集計することにより、建物全体の消費電力を算出する。そして、制御部５１０は、当該建物全体の消費電力量と、部屋毎の消費電力量と、を比較する。
【００５３】
図１０は、建物全体の消費電力量と部屋毎の消費電力量とを比較した比較結果の例を示している。制御部５１０は、部屋Ａ、Ｂ、Ｃ・・・のそれぞれの部屋において消費された消費電力（部屋Ａ：５００Ｗ、部屋Ｂ：８００、部屋Ｃ：７００Ｗ、・・・）を取得し、当該消費電力を集計することにより、建物全体の消費電力２０００Ｗを算出する。そして、制御部５１０は、建物全体の消費電力に対する部屋Ａ〜Ｃにおける消費電力の比較結果を、例えば円グラフを用いて生成する。
【００５４】
また、制御部５１０は、建物全体の消費電力と、蓄電力と、発電力とを比較する。図１１は、建物全体の消費電力量と、蓄電量と、発電量とを比較した比較結果の例を示している。制御部５１０は、建物全体の消費電力（２０００Ｗ）、蓄電力（２００Ｗ）、及び、発電力（３００Ｗ）を比較することにより、比較結果を生成する。
【００５５】
次に、制御部５１０は、通知部５８０を制御することにより、部屋毎の消費電力、建物全体の消費電力、比較結果等が、ステップＳ２０１において登録した基準（基準量、基準結果）を超えているか否かを判別する（ステップＳ２０４）。図７に示す基準、及び、図１０に示す比較結果を用いて、判別方法について説明する。制御部５１０は、図１０に示す比較結果と図７に示す基準とを対応付けることにより、部屋Ａ〜Ｃの各項目（消費電力、比較結果）が基準を超えているかを判別する。部屋Ａの消費電力は５００Ｗであり、割合は２５％であり、部屋Ａの消費電力の基準は５００Ｗであり、割合の基準は２０％である。この場合、制御部５１０は、部屋Ａの消費電力は基準を超えていると判別し、部屋Ａの比較結果は基準を超えてないと判別する。制御部５１０は、部屋Ｂ、部屋Ｃ、機器１００ａ、１００ｂ、・・・についても同様に、基準を超えているか否かを判別する。また、制御部５１０は、建物全体の消費電力と、蓄電力と、発電力との比較結果についても同様に、基準を超えているか否かを判別する。
【００５６】
判別された結果、基準を超えている場合（ステップＳ２０４；Ｙｅｓ）、制御部５１０は、基準を超えている結果を、通信部５５０を介して、表示端末機器６００に通知する（ステップＳ２０６）。表示端末機器６００は各部屋２に設置されているため、ユーザは、電力量や計測結果（比較結果）があらかじめ設定した基準を超えたことを、任意の部屋（位置）において把握することができる。
【００５７】
次に、基準を超えている旨が表示端末機器６００に通知された後（ステップＳ２０５）、又は、基準を超えていない場合（ステップＳ２０４；Ｎｏ）、制御部５１０は、通知部５８０を制御することにより、電力取得部５６０が取得した電力（消費電力、蓄電力、発電力）、及び、比較結果等を、通信部５５０を介して、表示端末機器６００に通知する（ステップＳ２０６）。図８に示される設置状態において、制御部５１０は、計測機器４００ａが計測した消費電力、及び、当該消費電力を含む比較結果を、計測機器４００ａ（又は機器１００ａ及び機器１００ｂ）が設置された部屋Ａに設置された表示端末装置６００に通知する。これは、部屋Ａにおいて計測された消費電力、及び、部屋Ａにおける電力を含む比較結果を、同一の部屋である部屋Ａ内において把握したいとユーザが所望しているためである。制御部５１０は、同様に、部屋Ｂの消費電力や比較結果を、部屋Ｂに設置された表示端末装置６００に通知し、また、部屋Ｃの消費電力や比較結果を、部屋Ｃに設置された表示端末装置６００に通知する。これにより、ユーザは、表示端末機器６００が設置された部屋（位置）に即した電力や比較結果を把握することができる。
【００５８】
表示端末機器６００は、端末通信部６５０を介して、管理機器５００から通知（電力、比較結果）を受け付ける。そして、管理機器５００から通知を受け付けると、又は、端末入力部６３０がユーザからの入力操作を受け付けると、端末制御部６１０は、受け付けた通知を、端末記憶部６２０に記憶させ、また、端末表示部６４０を制御することにより、受け付けた通知を表示する。これにより、ユーザは、表示端末機器６００に表示される通知を視認することにより、電力や比較結果を容易に把握することができる。
【００５９】
次に、制御部５１０は、予測部５９０を制御することにより、通信部５５０を介して、インターネットから気象情報５２６を取得する（ステップＳ２０７）。制御部５１０は、気象情報５２６に基づいて、現在の消費電力や発電力が、今後どのように変化するかの予測を行う。
【００６０】
制御部５１０は、取得した気象情報５２６の所定の項目が、基準を超えているか否か（要件を満たしているか否か）を判別することにより（ステップＳ２０８）、今後の消費電力が増加するか否か、発電力が増加するか否かを予測する。例えば、図１２に示すように、制御部５１０は、取得した予想最高気温が３０℃以上か否かを判別する。そして、予想最高気温が３０℃以上である場合、制御部５１０は、機器１００（具体的には、空調機器、扇風機）が消費する消費電力が大きくなると予測する。また、制御部５１０は、取得した天気予報が「晴れ」、「曇り」、「雨」の何れであるかを判別する。そして、天気予報が「晴れ」の場合、発電機器３００（具体的には、太陽光発電装置）が発電する発電力が大きくなると予測し、天気予報が「曇り」及び「雨」の場合、発電機器３００が発電する発電力が小さくなると予測する。また、制御部５１０は、取得した予想風速が５ｍ／ｓ以上か否かを判別する。そして、予想風速が５ｍ／ｓ以上の場合、制御部５１０は、発電機器３００（具体的には、風力発電装置）が発電する発電力が大きくなると予測する。
【００６１】
判別された結果、基準を超えている（要件を満たしている）場合（ステップＳ２０８；Ｙｅｓ）、制御部５１０は、通信部５５０を介して、予測結果を表示端末機器６００に通知する。ユーザは、現在の消費電力や発電力に加えて、今後予測される消費電力や発電力を把握することができるため、機器１００を動作・停止させることにより、電力を管理することができる。
【００６２】
次に、予測結果が表示端末機器６００に通知された後（ステップＳ２０９）、又は、基準を超えていない場合（ステップＳ２０８；Ｎｏ）、処理は再びステップＳ２０１へと戻る。ステップＳ２０１〜Ｓ２０９が繰り返されることにより、消費電力の比較結果、予測される消費電力等が、表示端末機器６００に継続して通知される。
【００６３】
以上の処理により、ユーザは、各部屋の消費電力や、各部屋の消費電力が建物全体の消費電力に占める割合を容易に把握することができる。ユーザは、家庭内の任意の場所において、全体の電力を把握することにより、電力を管理することができる。
【００６４】
（実施形態２）
実施形態１に係る電力表示システム１では、各部屋に表示端末機器６００が設置される場合について示した。本実施形態では、１つの表示端末機器６００により、建物全体の電力量を把握し、管理する方法について説明する。なお、実施形態１に係る電力表示システム１と同様の構成、動作については、説明を適宜省略する。
【００６５】
図１３は、本発明の実施形態２に係る電力表示システム１ａを示す図である。同図に示すように、電力表示システム１ａは、機器１００、蓄電機器２００、発電機器３００、計測機器４００、管理機器５００、表示端末機器６００から構成される。管理機器５００と表示端末機器６００との間では、無線通信によって情報の送受信が行われる。そして、表示端末機器６００は、管理機器５００から通知された情報を表示する。
【００６６】
電力表示システム１ａが備える構成要素は、電力表示システム１が備える構成要素と同様であり、また、登録処理、及び、通知処理も、実施形態１と同様である。
【００６７】
しかしながら、本実施形態では、表示端末機器６００は部屋２毎に設置されていないため、表示端末機器６００が存在する部屋（位置）に基づいた、電力量や比較結果が、管理機器５００から表示端末機器６００に通知されて、表示されることはない。そこで、以下に、表示端末機器６００が存在する位置を検出し、当該位置に基づく電力量や比較結果を表示する方法について説明する。
【００６８】
図１４は、位置検出処理を説明するためのフローチャートである。なお、管理機器５００、表示端末機器６００の何れにおいても、位置検出処理を行うことができるが、ここでは管理機器５００が位置検出処理を行う場合について説明する。
【００６９】
管理機器５００が、電力量を取得した後、比較結果を生成した後、ユーザからの入力を受け付けた後、又は、表示端末機器６００と無線通信を行った後等、任意のタイミングにおいて、当該位置検出処理が開始される。
まず、制御部５１０は、管理機器５００と表示端末機器６００との間で無線通信が行われた際の、電波強度、及び／又は、伝搬時間を計測する（ステップＳ３０１）。
【００７０】
次に、制御部５１０は、計測された電波強度・伝搬時間に基づいて、表示端末機器６００の位置を検出する（ステップＳ３０２）。例えば、表示端末機器６００の位置を検出する処理は、無線通信の電波強度が距離のｎ乗に比例すること利用した方法、電波伝搬時間を利用した方法、特開２００５−３１８５５３号公報等に記載される手法が用いられる。
【００７１】
次に、制御部５１０は、検出された表示端末機器６００の位置から、表示端末機器６００が位置する部屋を特定する（ステップＳ３０３）。例えば、制御部５１０は、部屋２内に設置された無線用アンテナ（図示せず）と表示端末機器６００との距離に基づいて、表示端末機器６００の位置を検出し、当該表示端末機器６００と無線通信が行われた無線用アンテナが設置された部屋２を、表示端末機器６００が位置する部屋２と特定する。また、制御部５１０は、検出された表示端末機器６００の位置の座標と、記憶部５２０に記憶される部屋情報５２２と、を対応付けることにより、表示端末機器６００が位置する部屋２を特定する。
【００７２】
次に、通知部５８０は、通信部５５０を介して、表示端末機器６００が位置する部屋における電力量や比較結果等を、表示端末機器６００に通知する（ステップＳ３０４）。例えば、図８において、表示端末機器６００が、部屋Ａ内にあると特定された場合、通知部５８０は、計測機器４００ａが計測した電力量、建物全体の電力量と部屋Ａの電力量との比較結果等、部屋Ａの電力量に関連する情報を、表示端末機器６００に通知する。これにより、表示端末機器６００が１つであっても、表示端末機器６００が存在する現在の部屋（位置）に即した電力量や計測結が通知される。
【００７３】
ステップＳ３０４の処理後、位置検出処理は再びステップＳ３０１へと戻る。ステップＳ３０１〜Ｓ３０４が繰り返されることにより、表示端末機器６００に対して、電力量や計測結が継続して通知される。
【００７４】
以上の処理により、ユーザは、家庭内の任意の場所において、全体の電力量を把握することにより、電力量を管理することができる。
【００７５】
なお、本発明は上記の実施形態に限定されず、種々の変形及び応用が可能である。
【００７６】
電力表示システム１が備える、機器１００、蓄電機器２００、及び、発電機器３００の台数及び設置位置は任意である。例えば、機器１００を、各部屋に複数台設置してもよく、また、一部の部屋だけに設置してもよい。
【００７７】
蓄電機器２００は、電気以外のエネルギーを貯蔵する機器でもよく、例えば、熱エネルギーとして熱湯をタンクに貯蔵する機器、バイオ燃料を貯蔵する機器であってもよい。
【００７８】
計測機器４００の設置位置は任意である。例えば、機器１００に電力を供給する電源と機器１００との間に設置される、電力線３を分岐する分電盤（図示せず）の配線分岐部に、計測機器４００を併設することもできる。また、分電盤と機器１００との間に設置されるブレーカーとともに、計測機器４００を設置することもできる。計測機器４００を設置する位置を、管理機器５００に近い位置することにより、計測機器４００の設置を容易することができる。また、当該計測機器４００に接続する通信線の設置も容易にすることができる。 
【００７９】
また、計測機器４００は、有効電力、及び、無効電力を計測することもできる。
【００８０】
管理機器５００が、表示端末機器６００に送信（通知）する情報は任意である。例えば、電力量を電気料金に換算した情報、電力量を二酸化炭素の排出量に換算した情報等であってもよい。また、管理機器５００は、電力の計測値のみを表示端末機器６００に送信し、表示端末機器６００は、当該送信された計測値に基づいた情報を表示することもできる。
【００８１】
入力部５３０は、ユーザから任意の情報を受け付けることもできる。例えば、入力部５３０は、建物の平面図を受け付ける。そして、入力部５３０は、ユーザからの入力を受け付けて、制御部５１０は、平面図上に機器１００が表示されるように、機器１００を登録する。具体的には、ユーザは、機器１００の位置座標を直接入力することにより、平面図上に機器１００の位置を登録する。また、平面図上に表示された機器１００の画像（アイコン）を操作（例えば、ドラッグ、ドロップ）することにより、平面図上の任意の位置に機器１００を登録する。
【００８２】
また、管理機器５００は、計測機器４００が計測した電流及び電圧波形から、高調波成分（例えば、周波数１ｋＨｚ〜２０ｋＨｚの電流成分）を取り出して、当該高調波成分から、特徴量（例えば、周波数、位相、レベル）を抽出することにより、機器１００を同定することもできる。なお、高調波を検出する方法は、公知の手法を用いることができ、また、特許４４００６１０号公報に記載される内容を含み、当該内容が参酌される。各部屋２において動作している機器１００を同定することにより、各機器１００が消費した消費電力を把握することができる。このため、各機器１００が消費した消費電力に基づいて、ユーザは各機器１００の動作を制御することもできる。
【００８３】
記憶部５２０に記憶される機器情報５２１、部屋情報５２２、表示端末情報５２３、電力情報５２４、基準情報５２５、気象情報５２６は、任意の情報である。また、記憶部５２０は、各情報５２１〜５２をあらかじめ記憶しておくこともでき、また、ユーザから受け付けた情報を各情報５２１〜５２として記憶することもできる。
【００８４】
制御部５１０は、電力取得部５６０を制御することにより、任意の時間間隔で、消費電力、蓄電力、及び、発電力を取得することもできる。
【００８５】
制御部５１０は、比較部５７０を制御することにより、任意の電力量同士を比較することもできる。また、制御部５１０は、比較結果に基づく、任意のグラフ、図等を生成することもできる。
【００８６】
制御部５１０は、比較部５７０を制御することにより、任意に手法よって、電力の変化を予測することもできる。
【００８７】
通信部５５０は、電力線３を通信回線として利用する、いわゆる電力線通信により、管理機器５００と、機器１００、蓄電機器２００及び発電機器３００との間で行われる通信の仲立ちをすることもできる。これにより、管理機器５００は、機器１００、蓄電機器２００及び発電機器３００の動作を制御することもできる。
【００８８】
表示端末機器６００は、端末入力部６３０が受け付けたユーザからの入力操作に基づいて、機器１００の動作を制御することもできる。例えば、管理機器５００から表示端末機器６００へ、部屋Ａの消費電力と比較結果が通知されると、ユーザは、表示端末機器６００に表示される、部屋Ａの消費電力と比較結果を視認できる。そして、部屋Ａの消費電力が大きい場合には、ユーザは、表示端末機器６００が備える端末入力部６３０を操作することにより、部屋Ａに設置された機器１００ａ及び機器１００ｂの動作を停止させたり、省電力化が行われる設定に切り替えることもできる。
【００８９】
また、表示端末機器６００の台数及び設置位置は任意である。例えば、室内の照明機器の電源をオン・オフするためのスイッチに併設することもできる。
【００９０】
また、表示端末機器６００は、端末入力部６３０がユーザから受け付けた指示に基づいて、任意の情報を表示することもできる。
【００９１】
その他、前記のハードウエェア構成やフローチャートは一例であり、任意に変更および修正が可能である。
【００９２】
制御部５１０、記憶部５２０、入力部５３０、表示部５４０、通信部５５０から構成される管理機器５００、及び、端末制御部６１０、端末記憶部６２０、端末入力部６３０、端末表示部６４０、端末通信部６５０から構成される表示端末機器６００の処理を行う中心となる部分は、専用のシステムによらず、通常のコンピュータシステムを用いて実現可能である。たとえば、前記の動作を実行するためのコンピュータプログラムを、コンピュータが読み取り可能な記録媒体（フレキシブルディスク、ＣＤ−ＲＯＭ、ＤＶＤ−ＲＯＭ等）に格納して配布し、当該コンピュータプログラムをコンピュータにインストールすることにより、前記の処理を実行する管理機器５００及び表示端末機器６００を構成してもよい。また、インターネット等の通信ネットワーク上のサーバ装置が有する記憶装置に当該コンピュータプログラムを格納しておき、通常のコンピュータシステムがダウンロード等することで管理機器５００及び表示端末機器６００を構成してもよい。
【００９３】
また、管理機器５００及び表示端末機器６００の機能を、ＯＳ（オペレーティングシステム）とアプリケーションプログラムの分担、またはＯＳとアプリケーションプログラムとの協働により実現する場合などには、アプリケーションプログラム部分のみを記録媒体や記憶装置に格納してもよい。
【００９４】
また、搬送波にコンピュータプログラムを重畳し、通信ネットワークを介して配信することも可能である。たとえば、通信ネットワーク上の掲示板（BBS; Bulletin Board System）に前記コンピュータプログラムを掲示し、ネットワークを介して前記コンピュータプログラムを配信してもよい。そして、このコンピュータプログラムを起動し、ＯＳの制御下で、他のアプリケーションプログラムと同様に実行することにより、前記の処理を実行できるように構成してもよい。
【符号の説明】
【００９５】
１、１ａ  電力表示システム
２  部屋
３  電力線
１００  機器
２００  蓄電機器
３００  発電機器
４００  計測機器
５００  管理機器
５１０  制御部
５１１  電力取得部
５１２  比較部
５１３  通知部
５１４  予測部
５２０  記憶部
５３０  入力部
５４０  表示部
５５０  通信部
６００  表示端末機器
６１０  端末制御部
６２０  端末記憶部
６３０  端末入力部
６４０  端末表示部
６５０  端末通信部
【図１】
0005197716.tif 000002
【図２】
0005197716.tif 000003
【図３】
0005197716.tif 000004
【図４】
0005197716.tif 000005
【図５】
0005197716.tif 000006
【図６】
0005197716.tif 000007
【図７】
0005197716.tif 000008
【図８】
0005197716.tif 000009
【図９】
0005197716.tif 000010
【図１０】
0005197716.tif 000011
【図１１】
0005197716.tif 000012
【図１２】
0005197716.tif 000013
【図１３】
0005197716.tif 000014
【図１４】
0005197716.tif 000015